(57)【要約】【課題】有機色素と成形基板の間に金属反射層が挟まる構造の光記録媒体であって、品質の良い記録マークの形成が可能な光記録媒体を提供すること。【解決手段】この発明の一例の光記録媒体は、光ビームの入射面側の第１の基板（１１）と、光ビームの入射面と反対面側の第２の基板（１７）と、両基板の間に設けられ、レーザ光の照射を受けて変質する第１の記録層（１２）と、第１の記録層と第２の基板の間に設けられた第１の反射層（１３）と、第１の反射層と第２の基板の間に設けられた層であって、レーザ光の照射を受けて変形する接着層（１４）と、接着層と第２の基板の間で且つ接着層上に直接設けられた層であって、レーザ光の照射を受けて変質する第２の記録層（１５）と、第２の記録層と第２の基板の間に設けられた第２の反射層（１６）とを備え、接着層は８０℃〜１６０℃のガラス転移温度の紫外線硬化樹脂により構成される。【選択図】      図１
2005346769.tif 000002
【特許請求の範囲】
【請求項１】
光ビームの照射を受けて記録マークの形成を担う光記録媒体であって、
光ビームの入射面側に位置する第１の基板と、
光ビームの入射面と反対面側に位置する第２の基板と、
前記第１及び第２の基板の間に設けられた層であって、レーザ光の照射を受けて変質する第１の記録層と、
前記第１の記録層と前記第２の基板の間に設けられた第１の反射層と、
前記第１の反射層と前記第２の基板の間に設けられた層であって、レーザ光の照射を受けて変形する接着層と、
前記接着層と前記第２の基板の間で且つ前記接着層上に直接設けられた層であって、レーザ光の照射を受けて変質する第２の記録層と、
前記第２の記録層と前記第２の基板の間に設けられた第２の反射層と、
を備え、
前記接着層を８０℃〜１６０℃のガラス転移温度の紫外線硬化樹脂により構成したことを特徴とする光記録媒体。
【請求項２】
前記第２の基板を、１３５℃〜１５５℃のガラス転移温度のポリカーボネート樹脂により構成し、
前記接着層を、前記第１及び第２の基板を構成する前記ポリカーボネート樹脂のガラス転移温度より低い８０℃〜１３０℃のガラス転移温度の紫外線硬化樹脂により構成したことを特徴とする請求項１に記載の光記録媒体。
【請求項３】
前記接着層を、１０００〜２６００ＭＰａの弾性係数の紫外線硬化樹脂により構成したことを特徴とする請求項１に記載の光記録媒体。
【請求項４】
前記接着層を、１０００〜２０００ＭＰａの弾性係数の紫外線硬化樹脂により構成したことを特徴とする請求項１に記載の光記録媒体。
【請求項５】
光ビームの照射を受けて記録マークの形成を担う光記録媒体であって、
光ビームの入射面側に位置するカバーシートと、
光ビームの入射面と反対面側に位置する基板と、
前記カバーシート及び基板の間に設けられた層であって、レーザ光の照射を受けて変形する接着層と、
前記接着層と前記基板の間で且つ前記接着層上に直接設けられた層であって、レーザ光の照射を受けて変質する記録層と、
前記記録層と前記基板の間に設けられた反射層と、
を備え、
前記接着層上に前記記録層を直接配置し、前記接着層を８０℃〜１６０℃のガラス転移温度の紫外線硬化樹脂により構成したことを特徴とする光記録媒体。
【請求項６】
前記基板を、１３５℃〜１５５℃のガラス転移温度のポリカーボネート樹脂により構成し、
前記接着層を、前記基板を構成する前記ポリカーボネート樹脂のガラス転移温度より低い８０℃〜１３０℃のガラス転移温度の紫外線硬化樹脂により構成したことを特徴とする請求項５に記載の光記録媒体。
【請求項７】
前記接着層を、１０００〜２６００ＭＰａの弾性係数の紫外線硬化樹脂により構成したことを特徴とする請求項５に記載の光記録媒体。
【請求項８】
前記接着層を、１０００〜２０００ＭＰａの弾性係数の紫外線硬化樹脂により構成したことを特徴とする請求項５に記載の光記録媒体。
【請求項９】
光ビームの入射面側に位置する第１の基板と、光ビームの入射面と反対面側に位置する第２の基板と、前記第１及び第２の基板の間に設けられた層であって、レーザ光の照射を受けて変質する第１の記録層と、前記第１の記録層と前記第２の基板の間に設けられた第１の反射層と、前記第１の反射層と前記第２の基板の間に設けられた層であって、レーザ光の照射を受けて変形する接着層と、前記接着層と前記第２の基板の間で且つ前記接着層上に直接設けられた層であって、レーザ光の照射を受けて変質する第２の記録層と、前記第２の記録層と前記第２の基板の間に設けられた第２の反射層とを備え、前記接着層が８０℃〜１６０℃のガラス転移温度の紫外線硬化樹脂により構成された光記録媒体に対して光ビームを照射し、この光記録媒体に対して情報を記録したりこの光記録媒体に記録された情報を再生したりする情報記録再生装置であって、
記録データに対応して光ビーム照射を制御する制御手段と、
前記制御手段による光ビーム照射の制御に基づき、前記光記録媒体に対して光ビームを照射し、前記接着層を変形させて記録マークを形成する記録手段と、
を備えたことを特徴とする情報記録再生装置。
【発明の詳細な説明】
【技術分野】
【０００１】
本発明は、光ビームの照射を受けて記録マークの形成を担う光記録媒体に関する。また、本発明は、このような光記録媒体に対して情報を記録したりこの光記録媒体に記録された情報を再生したりする情報記録再生装置に関する。
【背景技術】
【０００２】
近年、種々の光ディスクが登場しており、各種光ディスクの研究開発も盛んになっている。例えば、成形基板上に低融点金属材料からなる反射層を設け、その反射層上に光を吸収して変質する有機色素を主成分とする記録層を設け、さらにこの記録層上にカバー層を設けた追記型光記録媒体が提案されている（特許文献１参照）。つまり、普及型の光記録媒体とは逆の面からレーザ光を入射して記録再生を行なう追記型光記録媒体が提案されている。これにより、普及型の光記録媒体とは逆の面からレーザ光を入射する追記型光記録媒体でも良好な記録再生が可能となるとされている。
【特許文献１】特開２００３−５９１０８号公報（請求項７、図１）
【発明の開示】
【発明が解決しようとする課題】
【０００３】
ところが、上記特許文献１に開示されている追記型光記録媒体は、有機色素と成形基板が接していない。このため、この追記型光記録媒体では、有機色素の溶解により成形基板を変形させて記録マークを作るという普及型のような記録マーク成型プロセスが成り立たない。即ち、この追記型光記録媒体は、Blu-Ray Discや２層HD DVD-RのL1層などには、適用できない。
【０００４】
上記特許文献１には、有機色素と成形基板間に存在する反射膜として記録時に熱で溶解変形しやすい低融点（６００℃以下）材料を用いる点についても開示されている。しかし実際には、低融点反射膜材料の変形だけでは従来並みの再生信号品質を得ることができない。その上、反射膜に用いる材料に制限が多いため、高反射率や低ノイズなど特性を満たす材料が存在しないなどの問題がある。
【０００５】
本発明の目的は、上記課題を解決するためになされたものであり、有機色素と成形基板の間に金属反射層が挟まる構造の光記録媒体であって、品質の良い記録マークの形成が可能な光記録媒体を提供することにある。
【課題を解決するための手段】
【０００６】
この発明の光記録媒体及び情報記録再生装置は、以下のように構成されている。
【０００７】
この発明の一例の光記録媒体は、光ビームの入射面側に位置する第１の基板と、光ビームの入射面と反対面側に位置する第２の基板と、前記第１及び第２の基板の間に設けられた層であって、レーザ光の照射を受けて変質する第１の記録層と、前記第１の記録層と前記第２の基板の間に設けられた第１の反射層と、前記第１の反射層と前記第２の基板の間に設けられた層であって、レーザ光の照射を受けて変形する接着層と、前記接着層と前記第２の基板の間で且つ前記接着層上に直接設けられた層であって、レーザ光の照射を受けて変質する第２の記録層と、前記第２の記録層と前記第２の基板の間に設けられた第２の反射層とを備え、前記接着層を８０℃〜１６０℃のガラス転移温度の紫外線硬化樹脂により構成する。
【０００８】
また、この発明の一例の光記録媒体は、光ビームの入射面側に位置するカバーシートと、光ビームの入射面と反対面側に位置する基板と、前記カバーシート及び基板の間に設けられた層であって、レーザ光の照射を受けて変形する接着層と、前記接着層と前記基板の間で且つ前記接着層上に直接設けられた層であって、レーザ光の照射を受けて変質する記録層と、前記記録層と前記基板の間に設けられた反射層とを備え、前記接着層上に前記記録層を直接配置し、前記接着層を８０℃〜１６０℃のガラス転移温度の紫外線硬化樹脂により構成する。
【０００９】
また、この発明の一例の情報記録再生装置は、光ビームの入射面側に位置する第１の基板と、光ビームの入射面と反対面側に位置する第２の基板と、前記第１及び第２の基板の間に設けられた層であって、レーザ光の照射を受けて変質する第１の記録層と、前記第１の記録層と前記第２の基板の間に設けられた第１の反射層と、前記第１の反射層と前記第２の基板の間に設けられた層であって、レーザ光の照射を受けて変形する接着層と、前記接着層と前記第２の基板の間で且つ前記接着層上に直接設けられた層であって、レーザ光の照射を受けて変質する第２の記録層と、前記第２の記録層と前記第２の基板の間に設けられた第２の反射層とを備え、前記接着層が８０℃〜１６０℃のガラス転移温度の紫外線硬化樹脂により構成された光記録媒体に対して光ビームを照射し、この光記録媒体に対して情報を記録したりこの光記録媒体に記録された情報を再生したりする情報記録再生装置であって、記録データに対応して光ビーム照射を制御する制御手段と、前記制御手段による光ビーム照射の制御に基づき、前記光記録媒体に対して光ビームを照射し、前記接着層を変形させて記録マークを形成する記録手段とを備えている。
【発明の効果】
【００１０】
本発明によれば、有機色素と成形基板の間に金属反射層が挟まる構造の光記録媒体であって、品質の良い記録マークの形成が可能な光記録媒体を提供できる。
【発明を実施するための最良の形態】
【００１１】
以下、図面を参照しながら本実施形態について説明する。
【００１２】
図１は、本発明の第１の実施形態の２層追記型光ディスク（光記録媒体）の断面図であり、図２は、この追記型光ディスクの製造方法の流れを示す図であり、図３は、この追記型光ディスクに適用される紫外線硬化樹脂の特性範囲を示す図である。
【００１３】
図１に示すように、２層追記型光ディスクは、光ビームの入射面側に位置する成形基板１１と、光ビームの入射面と反対面側に位置する成形基板１７と、成形基板１１及び１７の間に設けられた層であってレーザ光の照射を受けて変質する記録層１２と、この記録層１２の成形基板１７の間に設けられた反射層１３と、このの反射層１３と成形基板１７の間に設けられた層であってレーザ光の照射を受けて変形する接着層１４と、この接着層１４と成形基板１７の間で且つ接着層１４上に直接設けられた層であってレーザ光の照射を受けて変質する記録層１５と、この記録層１５と成形基板１７の間に設けられた反射層１６とを備えている。
【００１４】
光入射側の成形基板１１には、トラッキングするための溝（グルーブ）やディスク情報などを記録したプリピットが形成されている。そして成形基板１１の溝には記録層１２が設けられている。この記録層１２は、光を当てると変質する有機色素の層であり、この変質により周囲の溝が変形しマークを形成して情報を記録する。記録層１２の材料には、ジアゾ系やフタロシアニン系の有機色素材料が用いられる。記録層１２の上には、例えばＡｌやＡｇを用いた反射層１３がスパッタリングなどにより形成される。以上により、成形基板１１、記録層１２、反射層１３により第１層Ｌ０が構成される。
【００１５】
同様に、光入射側と反対側の成形基板１７にも、トラッキングするための溝（グルーブ）やディスク情報などを記録したプリピットが形成されている。そして成形基板１７の溝には、反射層１６を介して記録層１２が設けられている。この記録層１２は、光を当てると変質する有機色素の層であり、この変質により周囲の溝が変形しマークを形成して情報を記録する。記録層１２の材料には、ジアゾ系やフタロシアニン系の有機色素材料が用いられる。以上により、成形基板１７、反射層１６、記録層１５により第２層Ｌ１が構成される。つまり、第２層Ｌ１の層の構成順序と、第１層Ｌ０の層の構成順序は異なる順序となっている。
【００１６】
上記した第１層Ｌ０と第２層Ｌ１とが接着層１４を介して貼り合わされて、１枚の光ディスクが構成される。
【００１７】
この第１の実施形態のディスクは、例えば、直径１２０ｍｍ、厚さ１．２ｍｍ（０．６ｍｍのポリカーボネート成形基板で構成される二層の貼り合せ）であり、かつ追記型の光ディスクであるとする。勿論、本発明のディスクは、これら数値に限定されるものではない。また、この第１の実施形態のディスクに対して照射される記録再生光としては例えば波長４００ｎｍの記録再生光を用い、この記録再生光を処理する光学系の対物レンズには例えばＮＡ０．６５のレンズを用いる。また、この第１の実施形態のディスクにおける、グルーブ間のトラックピッチを４００ｎｍとする。しかし、本発明のディスクは、これら数値に限定されるものではない。
【００１８】
続いて、図２を参照して、上記した２層追記型光ディスクの作製方法について説明する。原盤としては表面を研磨洗浄したガラスを用いる（ＳＴ１）。その原盤の表面にフォトレジストを塗布し（ＳＴ２）、フォトレジストの表面をレーザ光などで露光することにより情報を記録する（ＳＴ３）。次に露光した原盤を現像し、ピットやグルーブ溝の凹凸を形成する（ＳＴ４）。その後、その原盤をメッキ処理することでスタンパ（材料は一般にニッケル）を作成する（ＳＴ５）。そのスタンパを型として射出成形により樹脂（材料は一般にポリカーボネート）の成形基板１を作成する（ＳＴ６）。こうして作られた成形基板１上に記録層１２として有機色素をスピンコートにより塗布する（ＳＴ７）。そしてその有機色素の記録層１２上に反射層１３を形成する。以上により、第１層Ｌ０が形成される。同様にして、成形基板１７を作成し（ＳＴ６）、この成形基板１７上に反射層１６を形成し、この反射層１６上に記録層１５として有機色素をスピンコートにより塗布する（ＳＴ７）。以上により、第２層Ｌ１が形成される。これら第１層Ｌ０と第２層Ｌ１を接着層４を介して貼り合せる。これにより、２層追記型光ディスクが完成する（ＳＴ８）。
【００１９】
有機色素による追記型光ディスクの記録原理を以下に説明する。例えば、波長４００ｎｍの記録レーザ光を成形基板の溝に埋った有機色素に照射する。すると化学反応をおこした有機色素がその反応熱により隣接する周囲の成形基板を変形させて記録マークを作る。これが通常の追記型光ディスクの記録原理である。
【００２０】
しかし２層追記型ディスクにおいては、奥側の第２層Ｌ１の有機色素（記録層１５）と成形基板１７の間に金属で構成された反射層１６が配置されている。このため有機色素（記録層１５）の反応熱がこの金属で構成された反射層１６を介して逃げてしまう。このため、成形基板１７による良好な記録マーク形成が出来ない。
【００２１】
そこで本発明の２層追記型ディスクにおいては、成形基板１７を変形させる代わりに、第２層Ｌ１の有機色素（記録層１５）と直接接する接着層１４を変形させ、より品質の良い記録マークを作る。
【００２２】
接着層１４は紫外線硬化樹脂で作製されるが、有機色素（記録層１５）の反応熱により容易に変形することが望ましい。そこで本発明では、接着層１４を８０℃〜１６０℃のガラス転移温度の紫外線硬化樹脂により構成する。
【００２３】
また、成形基板１７を、１５０℃（１３５℃〜１５５℃程度）のガラス転移温度のポリカーボネート樹脂により構成することを考えると、より好ましくは、接着層１４をポリカーボネート樹脂のガラス転移温度より低い８０℃〜１３０℃のガラス転移温度の紫外線硬化樹脂により構成する。
【００２４】
但し、接着層１４を構成する紫外線硬化樹脂のガラス転移点と弾性係数には、図３に示すような相関がある。よって、ガラス転移点の低い材料を接着層１４として用いると、結果的に弾性係数が低い材料（柔らかい材料）を接着層１４として用いることになる。弾性係数が低い材料を接着層１４として用いると、記録マーク形成時に接着層１４が流動を起こすことになる。この流動は、隣接するマークに影響を与えることになる。つまりクロスライトやクロスイレースが大きくなってしまう。この現象は有機色素（記録層１５）と接着層１４が直に接している時ほど、顕著になる。この問題を回避するため、接着層１４の弾性係数は１０００ＭＰａ〜２６００ＭＰａが望ましい。つまり、接着層１４がある程度の固さを持つことが望ましい。より好ましくは、接着層１４の弾性係数は１０００ＭＰａ〜２０００ＭＰａが望ましい。
【００２５】
よって、接着層１４として、ガラス転移点１６０℃以下、弾性係数１０００ＭＰａ以上の紫外線硬化樹脂を用いることで、記録特性の良い片面２層の追記型光ディスクを提供することが出来る。
【００２６】
次に、図４を参照して、本発明の第２の実施形態の１層追記型光ディスク（光記録媒体）について説明する。第１の実施形態では２層追記型光ディスクに本発明のディスクの層構成を適用したケースについて説明したが、この第２の実施形態で説明するように１層追記型光ディスクにも本発明のディスクの層構成を適用できる。
【００２７】
図４に示すように、１層追記型光ディスクは、光ビームの入射面側に位置するカバーシート２１と、光ビームの入射面と反対面側に位置する成形基板２５と、カバーシート２１及び成形基板２５の間に設けられた層であってレーザ光の照射を受けて変形する接着層２２と、接着層２２と成形基板２５の間で且つ接着層２２上に直接設けられた層であってレーザ光の照射を受けて変質する記録層２３と、記録層２３と形成基板２５の間に設けられた反射層２４とを備えている。
【００２８】
第１の実施形態のディスクは、直径１２０ｍｍ、厚さ１．２ｍｍ（０．６ｍｍのポリカーボネート成形基板で構成される二層の貼り合せ）であり、かつ追記型の光ディスクであるとした。第２の実施形態のディスクは、同じ直径１２０ｍｍ、厚さ１．２ｍｍであるが、例えば１．１ｍｍのポリカーボネート成形基板に０．１ｍｍのカバーシートを貼ったものである。この第２の実施形態のディスクに対して照射される記録再生光としては例えば波長４００ｎｍの記録再生光を用い、この記録再生光を処理する光学系の対物レンズには例えばＮＡ０．８５のレンズを用いる。記録再生光は０．１ｍｍのカバーシート側から入射する。
【００２９】
この第２の実施形態のディスクでは、上記したように、成形基板２５上に設けられた溝の上に反射層２４、記録層２３、接着層２２、カバーシート２１の順に層が積み重ねられている。従って有機色素（記録層２３）と成形基板２５の間に金属の反射層２４が挟まれる構造となる。つまり、第１の実施形態で説明した理由と同じ理由で、成形基板２５を変形させての品質の良い記録マーク形成は困難である。
【００３０】
よって、この第２の実施形態のディスクでも、接着層２２を紫外線硬化樹脂で作製し、有機色素（記録層２３）の反応熱により容易に変形するようにする。そこで、接着層２２を８０℃〜１６０℃のガラス転移温度の紫外線硬化樹脂により構成する。
【００３１】
また、成形基板２５を、１５０℃のガラス転移温度のポリカーボネート樹脂により構成することを考えると、より好ましくは、接着層２２をポリカーボネート樹脂のガラス転移温度より低い８０℃〜１３０℃のガラス転移温度の紫外線硬化樹脂により構成する。
【００３２】
但し、接着層２２を構成する紫外線硬化樹脂のガラス転移点と弾性係数には、図３に示すような相関がある。よって、ガラス転移点の低い材料を接着層２２として用いると、結果的に弾性係数が低い材料（柔らかい材料）を接着層２２として用いることになる。弾性係数が低い材料を接着層２２として用いると、記録マーク形成時に接着層２２が流動を起こすことになる。この流動は、隣接するマークに影響を与えることになる。つまりクロスライトやクロスイレースが大きくなってしまう。この現象は有機色素（記録層２３）と接着層２２が直に接している時ほど、顕著になる。この問題を回避するため、接着層２２の弾性係数は１０００ＭＰａ〜２６００ＭＰａが望ましい。つまり、接着層２２がある程度の固さを持つことが望ましい。より好ましくは、接着層２２の弾性係数は１０００ＭＰａ〜２０００ＭＰａが望ましい。
【００３３】
よって、接着層２２として、ガラス転移点１６０℃以下、弾性係数１０００ＭＰａ以上の紫外線硬化樹脂を用いることで、記録特性の良い片面１層の追記型光ディスクを提供することが出来る。
【００３４】
以上説明したように、追記型光ディスクの接着層１４又は２２としてガラス転移点１６０℃以下の紫外線硬化樹脂を用いることによって、有機色素（記録層１５又は２３）と成形基板１７又は２５の間に金属の反射層１６又は２４が挟まる構造のディスクにおいても、品質の良い記録マークが形成できるようになる。
【００３５】
追記型光ディスクの接着層１４又は２２として弾性係数１０００ＭＰａ以上の紫外線硬化樹脂を用いることによって、有機色素（記録層１５又は２３）と接着層１４又は２２が直に接する構造のディスクにおいても、隣接トラックへのクロスライトやクロスイレースが防げるようになる。
【００３６】
普及型の光記録媒体とは逆の面からレーザ光を入射して記録再生を行なう追記型光記録媒体では、記録再生光による有機色素の反応熱が反射膜と接着剤に奪われるためマークを形成できない。しかしガラス転移点１６０℃以下の接着剤（接着層）を用いれば、成形基板の代わりに接着剤（接着層）が変形するため良好なマークが形成できる。但し、この場合、ガラス転移点とトレードオフになる接着剤の弾性係数は、トラック間の記録マークの流動を抑えるために１０００ＭＰａ以上の値（固さ）が必要である。
【００３７】
次に、図５を参照して、上記説明した２層追記型光ディスク及び１層追記型光ディスクに対してレーザ光を照射し、これら光ディスクに対して情報を記録したりこれら光ディスクに記録された情報を再生したりする情報記録再生装置について説明する。図５は、この発明の一例に係る光ディスク装置（情報記録再生装置）の概略構成を示すブロック図である。
【００３８】
図５に示すように、光ディスク装置は、光ピックアップ１１０、変調回路１２１、記録再生制御部１２２、レーザ制御回路１２３、信号処理回路１２４、復調回路１２５、アクチュエータ１２６、フォーカストラッキング制御部１３０を備えている。
【００３９】
また、光ピックアップ１１０は、レーザ１１１、コリメートレンズ１１２、偏光ビームスプリッタ（以下ＰＢＳ）１１３、４分の１波長板１１４、対物レンズ１１５、集光レンズ１１６、光検出器１１７を備えている。
【００４０】
また、フォーカストラッキング制御部１３０は、フォーカスエラー信号生成回路１３１、フォーカス制御回路１３２、トラッキングエラー信号生成回路１３３、トラッキング制御回路１３４を備えている。
【００４１】
まず、この光ディスク装置による光ディスクＤ（２層追記型光ディスク又は１層追記型光ディスク）に対する情報の記録について説明する。変調回路１２１は、所定の変調方式に従ってホストから提供される記録情報（データシンボル）をチャネルビット系列に変調する。記録情報に対応したチャネルビット系列は、記録再生制御部１２２に入力される。さらに、この記録再生制御部１２２には、ホストからの記録再生指示（この場合、記録指示）が入力される。記録再生制御部１２２は、アクチュエータ１２６に制御信号を出力し、目的の記録位置に光ビームが適切に集光されるように光ピックアップを駆動させる。さらに、記録再生制御部１２２は、チャネルビット系列をレーザ制御回路１２３に供給する。レーザ制御回路１２３は、チャネルビット系列をレーザ駆動波形に変換し、レーザ１１１を駆動させる。つまり、レーザ制御回路１２３は、レーザ１１１をパルス駆動させる。これに伴い、レーザ１１１は、所望のビット系列に対応した記録用の光ビームを照射する。レーザ１１１から照射された記録用の光ビームは、コリメートレンズ１１２で平行光となり、ＰＢＳ１１３に入射し、透過する。ＰＢＳ１１３を透過したビームは、４分の１波長板１１４を透過し、対物レンズ１１５により光ディスクＤの情報記録面に集光される。集光された記録用の光ビームは、フォーカス制御回路１３２並びにアクチュエータ１２６によるフォーカス制御、及びにトラッキング制御回路１３４並びにアクチュエータ１２６によるトラッキング制御により、記録面上（記録層１２又は１５）に最良の微小スポットが得られる状態で維持される。これにより、ディスクＤの第１層Ｌ０においては、成形基板１１を変形させて記録マークを形成することができる。また、ディスクＤの第２層Ｌ１においては、接着層１４又は２２を変形させて記録マークを形成することができる。
【００４２】
続いて、この光ディスク装置による光ディスクＤからのデータの再生について説明する。記録再生制御部１２２には、ホストからの記録再生指示（この場合、再生指示）が入力される。記録再生制御部１２２は、ホストからの再生指示に従い、レーザ制御回路１２３に再生制御信号を出力する。レーザ制御回路１２３は、再生制御信号に基づきレーザ１１１を駆動させる。これに伴いレーザ１１１は、再生用の光ビームを照射する。レーザ１１１から照射された再生用の光ビームは、コリメートレンズ１１２で平行光となり、ＰＢＳ１１３に入射し、透過する。ＰＢＳ１１３を透過した光ビームは４分の１波長板１１４を透過し、対物レンズ１１５により光ディスクＤの情報記録面に集光される。集光された再生用の光ビームは、フォーカス制御回路１３２並びにアクチュエータ１２６によるフォーカス制御、及びトラッキング制御回路１３４並びにアクチュエータ１２６によるトラッキング制御により、記録面上に最良の微小スポットが得られる状態で維持される。このとき、光ディスクＤ上に照射された再生用の光ビームは、反射層により反射される。反射光は対物レンズ１１５を逆方向に透過し、再度平行光となる。反射光は４分の１波長板１１４を透過し、入射光に対して垂直な偏光を持ち、ＰＢＳ１１３では反射される。ＰＢＳ１１３で反射されたビームは集光レンズ１１６により収束光となり、光検出器１１７に入射される。光検出器１１７は、例えば、４分割のフォトディテクタから構成されている。光検出器１１７に入射した光束は光電変換されて電気信号となり増幅される。増幅された信号は信号処理回路１２４にて等化され２値化され、復調回路１２５に送られる。復調回路１２５では所定変調方式に対応した復調動作が施されて、再生データが出力される。
【００４３】
また、光検出器１１７から出力される電気信号の一部に基づき、フォーカスエラー信号生成回路１３１によりフォーカスエラー信号が生成される。同様に、光検出器１１７から出力される電気信号の一部に基づき、トラッキングエラー信号生成回路１３３によりトラッキングエラー信号が生成される。フォーカス制御回路１３２は、フォーカスエラー信号に基づきアクチュエータ１２８を制御し、ビームスポットのフォーカスを制御する。トラッキング制御回路１３４は、トラッキングエラー信号に基づきアクチュエータ１２８を制御し、ビームスポットのトラッキングを制御する。
【００４４】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００４５】
【図１】本発明の第１の実施形態の２層追記型光ディスク（光記録媒体）の断面図である。
【図２】２層追記型光ディスクの製造方法の流れを示す図である。
【図３】２層追記型光ディスクに適用される紫外線硬化樹脂の特性を示す図である。
【図４】本発明の第２の実施形態の１層追記型光ディスク（光記録媒体）の断面図である。
【図５】２層追記型光ディスク及び１層追記型光ディスクに対して情報を記録したりこれら光ディスクに記録された情報を再生したりする情報記録再生装置の概略構成を示すブロック図である。
【符号の説明】
【００４６】
１１…成形基板、１２…記録層、１３…反射層、１４…接着層、１５…記録層１５、１６…反射層、２１…カバーシート、２２…接着層、２３…記録層、２４…反射層、１１０…光ピックアップ、１１１…レーザ、１１２…コリメートレンズ、１１３…偏光ビームスプリッタ（ＰＢＳ）、１１４…４分の１波長板、１１５…対物レンズ、１１６…集光レンズ、１１７…光検出器、１２１…変調回路、１２２…記録再生制御部、１２３…レーザ制御回路、１２４…信号処理回路、１２５…復調回路、１２６…アクチュエータ、１３０…フォーカストラッキング制御部、１３１…フォーカスエラー信号生成回路、１３２…フォーカス制御回路、１３３…トラッキングエラー信号生成回路、１３３…トラッキング制御回路
【図１】
2005346769.tif 000003
【図２】
2005346769.tif 000004
【図３】
2005346769.tif 000005
【図４】
2005346769.tif 000006
【図５】
2005346769.tif 000007